(57)【要約】【課題】  水平方向のみならず、垂直方向の変形に対しても段差を生じることなく追従できるエキスパンションジョイントを提供すること。【解決手段】  基端部が一方の構造物の外周部に対して垂直方向に揺動可能に連結される第１のカバー体２と、基端部が前記第１の先端部に垂直方向に揺動可能に連結される第２のカバー体３と、基端部が他方の構造物の外周部に対して垂直方向に揺動可能に連結される第３のカバー体４とを備え、前記第２のカバー体３の先端部と前記第３のカバー体４の先端部とが重畳して配置されるとともに、前記第２のカバー体３と前記第３のカバー体４とを付勢して当接させる。【選択図】  図１
2006183248.tif 000002
【特許請求の範囲】
【請求項１】
近接して配置される構造物の外周部間に架設されるエキスパンションジョイントであって、基端部が一方の構造物の外周部に対して垂直方向に揺動可能に連結される第１のカバー体と、基端部が前記第１の先端部に垂直方向に揺動可能に連結される第２のカバー体と、基端部が他方の構造物の外周部に対して垂直方向に揺動可能に連結される第３のカバー体とを備え、前記第２のカバー体の先端部と前記第３のカバー体の先端部とが重畳して配置されることを特徴とするエキスパンションジョイント
【請求項２】
前記第２のカバー体と前記第３のカバー体とを付勢して当接させる付勢手段をさらに備えることを特徴とする請求項１に記載のエキスパンションジョイント。
【発明の詳細な説明】
【技術分野】
【０００１】
本発明は、建造物のエキスパンション部など、近接して配置される構造物間の隙間を覆うために、構造物の相対向する外周部間に架設されるエキスパンションジョイントに関し、特に、歩行や通行の用に供せられる構造物の外周部間への架設に好適に用いられるエキスパンションジョイントに関する。
【背景技術】
【０００２】
建造物のエキスパンション部など、近接して配置される２つの構造物の間の隙間を覆うために、エキスパンションジョイントが用いられている。従来一般に用いられているエキスパンションジョイントは、板状の部材であるカバー体を備え、このカバー体の各端部が、２つの構造物の相対向する外周部間を跨ぐように架設される構成を備える。そして、このカバー体の各端部のうちのいずれか一方のみが、一方の構造物の外周部にビスなどで固定され、他方の端部は他方の構造物の外周部に固定されずに載置される。
【０００３】
このような構成によれば、カバー体の固定されていない側の端部は、構造物の外周部の上面を自由に移動できるから、構造物間の間隔が変化したとしても、隙間が現れることがない。しかしながらこのカバー体は、いずれか一方の端部がいずれか一方の構造物に固定されているから、構造物の垂直方向の変形には追従することができない。
【０００４】
構造物の垂直方向の変形に追従するため、カバー体の一方の端部を、一方の構造物に対して垂直方向に揺動可能で、かつ垂直方向に伸縮自在に連結し、他方の端部を従来通り構造物の外周部に載置するという構成が提案されている（特許文献１参照）。
【０００５】
この特許文献１に記載の構成によれば、構造物が垂直方向に変形し、両構造物の上面の高さに差が生じた場合には、カバー体が垂直方向に揺動や伸縮することにより、この高さの差に追従することができる。
【０００６】
【特許文献１】特開２００３−３０１５３１号公報
【発明の開示】
【発明が解決しようとする課題】
【０００７】
しかしながらこの特許文献１に記載の構成によれば、構造物の上面の高さの差に追随するためにカバー体の一端がせり上がることから、構造物の上面とカバー体との間に段差が生じることになる。また、カバー体の垂直方向の揺動のみで構造物の上面の高さの差に追随することも可能であるが、この場合には、カバー体の各端部のうち、構造物に連結されない側の端部が構造物の外周部から浮き上がった状態となるため、やはり段差が生じることになる。このため、円滑な歩行や通行の妨げとなる場合がある。
【０００８】
上記実情に鑑み、本発明が解決しようとする課題は、近接する構造物の間隔が変動したとしても変形に追従して隙間が現れることなく、かつ構造物が垂直方向に変形し、各構造物の上面の高さに差が生じた場合であっても、カバー体の浮き上がりなどによる段差が生じず、円滑な歩行や通行の妨げとならないエキスパンションジョイントを提供することである。
【課題を解決するための手段】
【０００９】
このような課題を解決するため、請求項１に記載の発明は、近接する構造物の外周部間に架設されるエキスパンションジョイントであって、基端部が一方の構造物の外周部に対して垂直方向に揺動可能に連結される第１のカバー体と、基端部が前記第１の先端部に垂直方向に揺動可能に連結される第２のカバー体と、基端部が他方の構造物の外周部に対して垂直方向に揺動可能に連結される第３のカバー体とを備え、前記第２のカバー体の先端部と前記第３のカバー体の先端部とが重畳して配置されることを要旨とするものである。
【００１０】
ここで、前記第２のカバー体と前記第３のカバー体とを付勢して接触させる付勢手段を備えることが好ましい。
【発明の効果】
【００１１】
請求項１に記載の発明によれば、第１の構造物と第２の構造物が変形して水平方向の間隔が変動した場合においては、第２のカバー体と第３のカバー体とが重なり合った状態にあるので、第２のカバー体と第３のカバー体とが相対的に摺動することにより、水平方向の変形に追従することができる。一方、第１の構造物と第２の構造物が垂直方向に変形し、両構造物の高さに差が生じた場合には、第１のカバー体が傾斜することにより、あるいは第２のカバー体および第３のカバー体が傾斜することにより、段差を生じることなく両構造物の間を接続することができる。このため、円滑な歩行や通行の妨げとなることがない。
【００１２】
請求項２に記載の発明によれば、第２のカバー体と第３のカバー体とが離れないように付勢力が加えられるから、第３のカバー体が第２のカバー体の表面から浮き上がることがない。このため、より円滑な歩行や通行を確保することができる。
【発明を実施するための最良の形態】
【００１３】
以下に、本発明の実施形態について、図面を参照して詳細に説明する。
【００１４】
図１は、本発明に係るエキスパンションジョイントの実施形態について、その構造を模式的に示した断面図である。この図１に示すように、本エキスパンションジョイント１は、近接して配置される第１の構造物９１と第２の構造物９２の相対向する外周部間に架設されるものである。そして、第１の構造物９１の側には、略板状の部材で、基端部が第１の構造物９１に対して垂直方向に揺動可能に連結される第１のカバー体２と、略板状の部材で、基端部が第１のカバー体２に対して垂直方向に揺動可能に連結される第２のカバー体３を備える。一方、第２の構造物９２の側には、この第２の構造物９２に対して垂直方向に揺動可能に連結される第３のカバー体４を備える。
【００１５】
第１の構造物９１、第２の構造物９２は、その種類や構造が限定されるものではないが、その上面が略水平で、歩行や通行の用に供される構造物である。図１においては、第１の構造物９１は、割堀状の土地を跨ぐように架設される歩道、第２の構造物９２は、この割堀状の土地に建設されたオープンデッキ状の構造物であり、本エキスパンションジョイント１は、この歩道とオープンデッキとの間を往来できるように架設される構成の例を示している。
【００１６】
ここで、この図１は、第１の構造物９１と第２の構造物９２の上面９１０，９２０（すなわち、それぞれ歩行や通行の用に供する面。以下、この面を「通行面」と称する。）の高さが一致している状態を示す。以下、この状態を、「常態」と称する。
【００１７】
第１の構造物９１の外周部には、通行面９１０から一段低い段差面９１１が形成される。この段差面９１１には、断面が略Ｌ字形状に形成される板状の部材である固定部材９１２が配置され、アンカーボルト（図示せず）などにより第１の構造物９１に固定される。この固定部材は、たとえば金属板材の曲げ加工などにより形成される部材である。そして、この固定部材９１２には、第１のカバー体２を連結するための連結腕９１３と、第１のカバー体２の先端部近傍を下方から支承する支承部材９１４が設けられる。
【００１８】
第２の構造物９２の外周部には、第１の構造物９１と同様に、通行面９２０から一段低い段差面９２１が形成される。この段差面９２１には、断面が略Ｌ字形状に形成される板状の部材である固定部材９２２が配置され、第２の構造物９２に固定される。また、この段差面９２１には、本エキスパンションジョイント１の架設方向に沿ってガイドレール９２５が敷設される。そしてこのガイドレールの先端（ここでは、第１の構造物９１に近い側の端部）近傍には、ガイドローラ９２６が配設される。このガイドレール９２５は、後述する第２のカバー体３に配設されるガイドローラ３２が転がり可能に敷設されるものであり、ガイドレール９２５に配設されるガイドローラ９２６は、第２のカバー体３を下方から支承するためのものである。また、段差面９２１には、上方に向かってボルト９２７が突設される。
【００１９】
第１のカバー体２は、略板状に形成され、第１の構造物９１に対して垂直方向に揺動可能に連結される部材である。図１においては、第１のカバー体２の基端部近傍の下面に連結腕２２が設けられ、この連結腕２２と、固定部材９１２に設けられる連結腕９１３とがピン８１により連結される構成を示す。このような構成により、第１のカバー体２は、このピン８１を中心に第１の構造物９１に対して垂直方向に揺動することができる。そして、常態においては、この第１のカバー体２は、その先端部近傍の下面が固定部材９１２の支承部材９１４により支承されており、略水平な状態に維持される。そして、第１のカバー体２は、支承部材９１４により揺動の範囲が規制され、先端部側が基端部側より低くなるように傾斜することがない。
【００２０】
第２のカバー体３は、略板状に形成され、その基端部が第１のカバー体２の先端部に対して垂直方向に揺動可能に連結される部材である。図１においては、連結ピン８２により、第２のカバー体３の基端部と第１のカバー体２の先端部とが連結され、この連結ピン８２を中心に揺動できる構成を示す。そしてこの第２のカバー体３は、その先端部寄りが第２の構造物９２の段差面９２１上に敷設されたガイドレール９２５上に重ねられるように配置される。この第２のカバー体３の先端部には回転自在なガイドローラ３２が配設されており、このガイドローラ３２が、第２の構造物９２の段差面９２１上に敷設されるガイドレール９２５上を転がることができる。そして常態においては、第２のカバー体３は、ガイドレール９２５に配設されるガイドローラ９２６により下方から支承されている。このため第２のカバー体３は、略水平な状態を維持しつつ、ガイドレール９２５上を往復動することができる。
【００２１】
第３のカバー体４は、略板状に形成され、その基端部は第２構造物９２に対して垂直方向に揺動可能に連結される部材である。図１においては、第２の構造物９２の段差面９２１と通行面の間に形成される垂直面に、補助板４２が第１の構造物９１の側に向かって略水平に突設されるように固定され、第３のカバー体４は、その基端部がこの補助板４２に蝶番８３を介して連結される構成を示す。このような構成により、第３のカバー体４は、第２の構造物９２に対して垂直方向に揺動することができる。なお、図１に示すように補助板４２を用いることなく、直接固定部材９２２に蝶番などを連結する構成であってもよい。
【００２２】
そしてこの第３のカバー体４は、その先端寄りの部位が第２のカバー体３の上側に重ねるように配置され、付勢手段により第２のカバー体３の上面に付勢力をもって押しつけられている。図１においては、第３のカバー体４の下面側に枠体４３が形成され、この枠体４３と固定部材９２２から突設されるボルト９２７に螺合されるナット９２８との間に圧縮コイルバネ９２９が架設される構成を示す。このような構成によれば、圧縮コイルバネ９２９の付勢力により、第３のカバー体４が第２のカバー体３の上面に押しつけられる。
【００２３】
次に、このような構成を備える本エキスパンションジョイント１の動作について説明する。図２は、本エキスパンションジョイント１の操作を模式的に示した図である。なお、実際の動作においては、第１の構造物９１と第２の構造物９２とはそれぞれ変形し、その結果両構造物９１，９２の位置関係が相対的に変化するが、以下の説明においては、説明の便宜上、第１の構造物９１は変形せず、第２の構造物９２のみが変形するものとして扱う。
【００２４】
図２（ａ）は、第２の構造物９２の通行面９２０の高さが、第１の構造物９１の通行面９１０の通行面の高さより高くなった状態を示した図である。このような場合には、第２のカバー体３は、その基端部がガイドレール９２５に配設されるガイドローラ９２６によって支承されて略水平に維持される。そして、第２のカバー体３の上面に重ねられる第３のカバー体４も水平状態にあり、第３のカバー体４と第２のカバー体３とが離れることがない。一方、第１のカバー体２は、第２の構造物９２の変形に伴って先端部が上昇するように傾斜する。このように、第２の構造物９２の通行面９２０の高さが第１の構造物９１の通行面９１０の高さより高くなった場合には、第１のカバー体２が傾斜することにより、段差面が生じることなく接続される。
【００２５】
図２（ｂ）は、第２の構造物９２の通行面９２０の高さが第１の構造物９１の通行面９１０の高さより低くなった状態を示した図である。このような場合には、第１のカバー体２は支承部材９１４により支承されるから、略水平に維持される（すなわち、第１のカバー体２は、基端部から先端部に向かって下降するように傾斜することはない）。また、第２のカバー体３は、基端部の高さは変化しないが、先端部は第２の構造物９２の変形に伴って下降するから、基端部から先端部に向かって下降するように傾斜する。一方、第３の部材は、基端部は第２の構造物９２と一体に下降するが、先端部は第２のカバー体３の上面に当接しているため、基端部から先端部に上昇するように傾斜する。このように、第２の構造物９２の通行面９２０の高さが第１の構造物９１の通行面９１０の高さより低くなった場合には、第２のカバー体３および第３のカバー体４が傾斜することにより、段差面が生じることなく接続される。なお、第３のカバー体４の先端部は、圧縮コイルバネ９２９により付勢されていることもあり、第２のカバー体３の上面に当接する状態に維持される。このため、第３のカバー体４の先端部が浮き上がることがなく、円滑な歩行や通行の妨げとなることがない。
【００２６】
図２（ｃ）は、第２の構造物９２の通行面９２０の高さが、第１の構造物９１の通行面９１０の通行面の高さより高くなり、かつ第１の構造物９１と第２の構造物９２との間の間隔が小さくなった状態を示す。このような場合、垂直方向の変形については、図２（ａ）に示した動作と同一の動作により段差なく追従することができる。すなわち、第２のカバー体３は、その基端部がガイドレール９２５に配設されるガイドローラ９２６によって支承されて略水平に維持される。そして、第２のカバー体３の上面に重ねられる第３のカバー体４も水平状態にあり、第３のカバー体４と第２のカバー体３とが離れることがない。また、第１のカバー体２は、第２の構造物９２の変形に伴って先端部が上昇するように傾斜する。このように、第１のカバー体２が傾斜することにより、段差面が生じることなく接続される。一方、水平方向の変形については、第３のカバー体４およびガイドレール９２５と、第２のカバー体３との相対的な水平方向の移動により追従することができる。
【００２７】
図２（ｄ）は、第２の構造物９２の通行面９２０の高さが第１の構造物９１の通行面９１０の高さより低くなり、かつ第１の構造物９１と第２の構造物９２との間の間隔が小さくなった状態を示した図である。このような場合、垂直方向の変形は、図２（ｂ）に示した動作と同一の動作により段差なく追従することができる。すなわち、第１のカバー体２は支承部材９１４により支承されるから、略水平に維持される。第２のカバー体３は、基端部の高さは変化しないが、先端部は第２の構造物９２の変形に伴って下降するから、基端部から先端部に向かって下降するように傾斜する。また、第３の部材は、基端部は第２の構造物９２と一体に下降するが、先端部は第２のカバー体３の上面に当接しているため、基端部から先端部に上昇するように傾斜する。このように第２のカバー体３および第３のカバー体４が傾斜することにより、段差面が生じることなく接続される。一方、水平方向の変形については、図２（ｃ）に示した動作と同様に、第３のカバー体４およびガイドレール９２５と、第２のカバー体３の相対的な水平方向の移動により追従することができる。なお、第３のカバー体４の先端部は、圧縮コイルバネ９２９により付勢されていることもあり、第２のカバー体３と第３のカバー体４との水平方向の位置関係が変動したとしても、第２のカバー体３の上面に当接する状態に維持される。このため、第３のカバー体４の先端部が浮き上がることがなく、円滑な歩行や通行の妨げとなることがない。
【００２８】
このように、本発明に係るエキスパンションジョイントによれば、近接して配置される構造物が水平方向に変形した場合にのみならず、垂直方向に変形した場合であっても、両構造物の上面を段差なく接続することができる。このため、歩行や通行の用に供する場合であっても、通行面に段差が生じないことから、円滑な歩行や通行を確保することができる。
【００２９】
以上、本発明の各種実施形態について詳細に説明したが、本発明は前記各種実施形態に何ら限定されるものではなく、本発明の趣旨を逸脱しない範囲で種々の改変が可能である。
【図面の簡単な説明】
【００３０】
【図１】本発明の実施形態に係るエキスパンションジョイント鋸有象を模式的に示した断面図であり、第１の構造物の高さと第２の構造物の高さとが一致している状態を示す。
【図２】前記エキスパンションジョイントの動作を模式的に示した図であり、（ａ）は第２の構造物９２が第１の構造物９１より上方に変形した状態を示した図、（ｂ）は第２の構造物９２が第１の構造物９１より下方に変形した状態を示した図、（ｃ）は第２の構造物９２が第１の構造物９１より上方に変形し、かつ第１の構造物９１と第２の構造物９２との間隔が小さくなった状態を示した図、（ｄ）は第２の構造物９２が第１の構造物９１より下方に変形し、かつ第１の構造物９１と第２の構造物との間隔が小さくなった状態を示した図である。
【符号の説明】
【００３１】
１      エキスパンションジョイント
２      第１のカバー体
３      第２のカバー体
４      第３のカバー体
２２    連結腕
３２    ガイドローラ
４２    補助板
４３    枠体
８１    ピン
８２    連結ピン
８３    蝶番
９１    第１の構造物
９２    第２の構造物
９１０  通行面
９１１  段差面
９１２  固定部材
９１３  連結腕
９１４  支承部材
９２０  通行面
９２１  段差面
９２２  固定部材
９２５  ガイドレール
９２６  ガイドローラ
９２７  ボルト
９２８  ナット
９２９  圧縮コイルバネ
【図１】
2006183248.tif 000003
【図２】
2006183248.tif 000004